(57)【要約】  本発明は、突出した係止板を有する押圧保護装置が設置されたスクリーンドアと、スクリーンドアの閉鎖時に押圧保護装置と結合されてロックされるロック装置が設置されたスクリーンドアの敷居とを備えるスクリーンドアシステムを開示する。  【選択図】図２
2010520132.tif 000002
【特許請求の範囲】
【請求項１】
押圧保護装置が設置されるスクリーンドアと、前記押圧保護装置と結合されるロック装置が設置される前記スクリーンドアのガイド敷居を形成するガイドレールとからなるスクリーンドアシステムにおいて、
前記押圧保護装置は、前記スクリーンドアの閉鎖方向に突出する係止手段を備え、
前記ロック装置は、上面と前記上面の両側から下方に折り曲げられる側面とを備え、
前記スクリーンドアが閉鎖されるとき、前記係止手段は前記上面及び前記側面によって形成される空間に挿入されることを特徴とするスクリーンドアシステム。
【請求項２】
前記側面のうち一つは前記ガイドレールの外側面と接触して設置されることを特徴とする請求項１に記載のスクリーンドアシステム。
【請求項３】
前記ガイドレールは長手方向の溝を備え、前記ロック装置は前記溝内に設置されることを特徴とする請求項１に記載のスクリーンドアシステム。
【請求項４】
押圧保護装置が設置されるスクリーンドアと、前記押圧保護装置と結合されるロック装置が設置され、前記スクリーンドアのガイド敷居を形成するガイドレールとからなるスクリーンドアシステムにおいて、
前記押圧保護装置は、前記スクリーンドアの閉鎖方向に突出する係止手段を備え、
前記ロック装置は、上板と、前記上板の底面から下方に形成されて前記ガイドレールの長手方向に形成された溝に挿入される溝挿入部と、前記上板の端部から下方に折り曲げられ、前記ガイドレールの外側壁の外側に設置される垂直部とを備え、
前記係止手段は、前記スクリーンドアの閉鎖時に、前記上板、前記ガイドレールの外側面及び前記垂直板が形成する空間に挿入されてロックされることを特徴とするスクリーンドアシステム。
【請求項５】
押圧保護装置が設置されるスクリーンドアと、前記押圧保護装置と結合されるロック装置が設置され、前記スクリーンドアのガイド敷居を形成するガイドレールとからなるスクリーンドアシステムにおいて、
前記押圧保護装置は、前記スクリーンドアの閉鎖方向に突出し、先端に前記スクリーンドアの閉鎖方向に開口した挿入溝が形成された係止手段を備え、
前記ロック装置は、前記ガイドレールの長手方向に対して垂直に設置される横断部材を備え、
前記スクリーンドアが閉鎖されるとき、前記挿入溝に前記横断部材が挿入されることを特徴とするスクリーンドアシステム。
【請求項６】
敷居を形成するガイドレールに沿って開閉されるスクリーンドアに設置される押圧保護装置において、
前記スクリーンドアと結合される結合部と、
前記結合部の一端部から折り曲げられて、前記スクリーンドアから離れる方向である外側に延びる連結部と、
前記連結部の端部から下方に延びるように設置されるが、下端部が前記ガイドレールの外側壁と平行に形成される支持部と、を備えることを特徴とする押圧保護装置。
【請求項７】
前記支持部の上端部と下端部との間には、外側に凸状に形成された曲面部が形成されることを特徴とする請求項６に記載の押圧保護装置。
【請求項８】
前記ガイドレールの外側壁には外側に突出する突出部材が設置され、前記支持部には前記スクリーンドアが閉鎖される方向に開口した挿入溝が形成され、前記スクリーンドアが閉鎖されるとき、前記挿入溝に前記突出部材が挿入されることを特徴とする請求項６に記載の押圧保護装置。
【請求項９】
押圧保護装置が設置されるスクリーンドアと、前記押圧保護装置と結合されるロック装置が設置され、前記スクリーンドアのガイド敷居を形成するガイドレールとからなるスクリーンドアシステムにおいて、
前記ロック装置は、前記ガイドレールの長手方向に形成された溝内に設置され、上面の一部が前記ガイドレールの長手方向に切開された切開部を有するハウジングを備え、前記押圧保護装置は前記スクリーンドアの下端から下方に突出する突出部を備え、前記スクリーンドアの閉鎖時に前記突出部が前記切開部に挿入されることを特徴とするスクリーンドアシステム。
【請求項１０】
押圧保護装置が設置されるスクリーンドアと、前記押圧保護装置と結合されるロック装置が設置され、前記スクリーンドアのガイド敷居を形成するガイドレールとからなるスクリーンドアシステムにおいて、
前記押圧保護装置は、前記スクリーンドアが閉鎖される方向に突出する係止手段を備え、
前記ロック装置は、前記ガイドレールの長手方向に形成された溝の開口部を覆う水平部を備え、
前記スクリーンドアが閉鎖されるとき、前記係止手段は、前記溝及び前記水平部が形成する空間に挿入されることを特徴とするスクリーンドアシステム。
【請求項１１】
押圧保護装置が設置されるスクリーンドアと、前記押圧保護装置と結合されるロック装置が設置され、前記スクリーンドアのガイド敷居を形成するガイドレールとからなるスクリーンドアシステムにおいて、
前記押圧保護装置は、前記スクリーンドアの閉鎖方向に突出する係止手段を備え、
前記ロック装置は、前記ガイドレールの長手方向に形成された溝の底面に対して垂直方向である上下方向に移動し、前記溝を貫通する締結ボルトが通過する貫通孔が形成される移動軸と、前記移動軸の上端に設置され、前記溝の開口部を覆うカバーとを備え、
前記スクリーンドアの閉鎖時に、前記係止手段は、前記カバー及び前記溝が形成する空間に挿入されることを特徴とするスクリーンドアシステム。
【請求項１２】
前記貫通孔は、長手方向に長い長穴であることを特徴とする請求項１１に記載のスクリーンドアシステム。
【請求項１３】
前記ロック装置が設置される位置の溝の底面には、前記溝の長手方向に貫通孔が形成されることを特徴とする請求項１１に記載のスクリーンドアシステム。
【請求項１４】
係止手段が突出した押圧保護装置は、下端部に設置されたスクリーンドアのガイド敷居を形成するガイドレールに設置され、前記スクリーンドアの閉鎖時に前記係止手段が結合されるロック装置において、
前記ガイドレールの長手方向に形成された溝を横切る固定用ボルトと、
前記溝に挿入され、前記固定用ボルトによって上下に移動可能に前記ガイドレールに設置される両端部の開口した管体と、を備えることを特徴とするロック装置。
【請求項１５】
敷居を形成するガイドレールに沿って移動するスクリーンドアの下端部に設置された押圧保護装置において、
前記スクリーンドアの移動方向に対して垂直に設置された軸と、
前記軸の貫通する貫通孔が形成され、一部が前記ガイドレールの溝に挿入される板状部材と、を備えることを特徴とするスクリーンドアの押圧保護装置。
【請求項１６】
前記板状部材は円形または楕円形であることを特徴とする請求項１５に記載のスクリーンドアの押圧保護装置。
【請求項１７】
前記貫通孔は、一方向に大きい直径を有する長穴であることを特徴とする請求項１５に記載のスクリーンドアの押圧保護装置。
【請求項１８】
前記板状部材の貫通孔の下部には、前記スクリーンドアの閉鎖方向に開口した挿入溝が形成され、前記ガイドレールの溝には、前記スクリーンドアの閉鎖時に前記挿入溝に挿入される横断部材が設置されることを特徴とする請求項１５に記載のスクリーンドアの押圧保護装置。
【請求項１９】
前記スクリーンドアが閉鎖されるとき、前記溝の底面の軸と対向する位置に長手方向の長穴が形成されることを特徴とする請求項１５から請求項１８のうち何れか１項に記載のスクリーンドアの押圧保護装置。
【請求項２０】
前記スクリーンドアの一下端部に設置される第１支持板と、
前記第１支持板と平行な間隔を維持する側部を有する第２支持板と、をさらに備え、
前記軸は前記第１支持板及び前記第２支持板を横切り、前記板状部材は前記第１支持板と前記第２支持板との間に設置されることを特徴とする請求項１５から請求項１８のうち何れか１項に記載のスクリーンドアの押圧保護装置。
【請求項２１】
前記第１支持板または前記第２支持板の下部にはガイドシューのパケット設置部が形成され、前記パケット設置部にはガイドシューのパケットが設置されることを特徴とする請求項２０に記載のスクリーンドアの押圧保護装置。
【発明の詳細な説明】
【技術分野】
【０００１】
本発明は、エレベーターのケージまたは乗り場のスクリーンドアが垂直方向に押されることを防止するための押圧保護装置及び押圧保護装置をロックするロック装置に関する。
【背景技術】
【０００２】
エレベータードアまたは乗り場のスクリーンドアが昇降路側に押されることを防止するために、韓国特許公開第２００１−００００１３５号公報（発明の名称：エレベータードアフレーム及びその施工方法）に記載されているように、スクリーンドアの下部にガイドシューが設置され、ガイドシューはドア敷居（ｄｏｏｒ  ｓｉｌｌ）を形成するガイドレールの溝に挿入されて移動する。
【０００３】
図１は、従来のエレベーターのドアに設置されたスクリーンドアシステムの斜視図である。
【０００４】
エレベーターの出入り口には二つのパネル状のスクリーンドア１０、１１が設置されて、人が乗るエレベーターケージが上下に移動する昇降路を開閉する。スクリーンドア１０、１１は、エレベーターケージが到着した後、停止した状態でエレベーターケージのドアが開閉されるときに共に開閉され、エレベーターケージが移動するかまたは他の層に停止中である場合にはスクリーンドア１０、１１が閉鎖されて、エレベーターの昇降路に人が墜落することを防止する。
【０００５】
スクリーンドア１０、１１の上部には、スクリーンドア１０、１１に設置されたホイールをレールに沿って移動させるスクリーンドア駆動部１が設置され、スクリーンドア１０、１１の下部には、アルミニウム材質からなり、長手方向の溝２１の形成されたガイドレール２０が設置されたドア敷居が乗り場の底面から昇降路側に突出するように設置される。スクリーンドア１０、１１の下端部にはガイドシュー３０が設置される。ガイドシュー３０は、スクリーンドア１０、１１の下部に付着するブラケットと、ブラケットの下部を取り囲む合成樹脂材のパケット３１とを備える。パケット３１は、ガイドレール２０の長手方向に形成された溝２１に沿って移動することによってスクリーンドア１０、１１の移動方向を案内し、スクリーンドア１０、１１の垂直方向に作用する力によってスクリーンドア１０、１１が押されることを防止する安全装置の役割を行う。
【０００６】
しかし、溝２１内でスクリーンドア１０、１１の円滑な開閉のために、または溝２１内の異物などによってパケット３１が溝２１内に十分に入れられていない場合には安全装置の役割を十分に行えない。
【０００７】
この場合、乗り場からエレベーターケージが乗降する昇降路側にスクリーンドア１０、１１に衝撃を加えれば、パケット３１が溝２１から離脱して、スクリーンドア１０、１１が昇降路側に押され、安全事故が発生し得る。
【０００８】
以上、エレベーターの出入り口のスクリーンドアの問題点について記述したが、このような問題点はスクリーンドアが設置された地下鉄の駅舎においても同様に存在する。
【０００９】
また、このような問題点はエレベーターケージを開閉するスクリーンドアにおいても同様に発生する。
【発明の概要】
【発明が解決しようとする課題】
【００１０】
本発明は、このような問題点を解決するためになされたものであって、本発明の目的は、エレベーターなどのスクリーンドアの移動方向に対して垂直方向の衝撃が加えられる場合にスクリーンドアが押されることを防止するための押圧保護装置を提供することである。
【課題を解決するための手段】
【００１１】
本発明の目的を達成するために、本発明は、押圧保護装置が設置されるスクリーンドアと、前記押圧保護装置と結合されるロック装置が設置される前記スクリーンドアのガイド敷居を形成するガイドレールとからなるスクリーンドアシステムにおいて、前記押圧保護装置は、前記スクリーンドアの閉鎖方向に突出する係止手段を備え、前記ロック装置は、上面と前記上面の両側から下方に折り曲げられる側面とを備え、前記スクリーンドアが閉鎖されるとき、前記係止手段は前記上面及び前記側面によって形成される空間に挿入されることを特徴とするスクリーンドアシステムを提供する。
【００１２】
また、本発明は、押圧保護装置が設置されるスクリーンドアと、前記押圧保護装置と結合されるロック装置が設置され、前記スクリーンドアのガイド敷居を形成するガイドレールとからなるスクリーンドアシステムにおいて、前記押圧保護装置は、前記スクリーンドアの閉鎖方向に突出する係止手段を備え、前記ロック装置は、上板と、前記上板の底面から下方に形成されて前記ガイドレールの長手方向に形成された溝に挿入される溝挿入部と、前記上板の端部から下方に折り曲げられるが、前記ガイドレールの外側壁の外側に設置される垂直部とを備え、前記係止手段は、前記スクリーンドアの閉鎖時に、前記上板、前記ガイドレールの外側面及び前記垂直板が形成する空間に挿入されてロックされることを特徴とするスクリーンドアシステムを提供する。
【００１３】
また、本発明は、押圧保護装置が設置されるスクリーンドアと、前記押圧保護装置と結合されるロック装置が設置され、前記スクリーンドアのガイド敷居を形成するガイドレールとからなるスクリーンドアシステムにおいて、前記押圧保護装置は、前記スクリーンドアの閉鎖方向に突出し、先端に前記スクリーンドアの閉鎖方向に開口した挿入溝が形成された係止手段を備え、前記ロック装置は、前記ガイドレールの長手方向に対して垂直に設置される横断部材を備え、前記スクリーンドアが閉鎖されるとき、前記挿入溝に前記横断部材が挿入されることを特徴とするスクリーンドアシステムを提供する。
【００１４】
また、本発明は、敷居を形成するガイドレールに沿って開閉されるスクリーンドアに設置される押圧保護装置において、前記スクリーンドアと結合される結合部と、前記結合部の一端部から折り曲げられて、前記スクリーンドアから離れる方向である外側に延びる連結部と、前記連結部の端部から下方に延びるように設置されるが、下端部が前記ガイドレールの外側壁と平行に形成される支持部と、を備えることを特徴とする押圧保護装置を提供する。
【００１５】
また、本発明は、押圧保護装置が設置されるスクリーンドアと、前記押圧保護装置と結合されるロック装置が設置され、前記スクリーンドアのガイド敷居を形成するガイドレールとからなるスクリーンドアシステムにおいて、前記ロック装置は、前記ガイドレールの長手方向に形成された溝内に設置され、上面の一部が前記ガイドレールの長手方向に切開された切開部を有するハウジングを備え、前記押圧保護装置は前記スクリーンドアの下端から下方に突出する突出部を備え、前記スクリーンドアの閉鎖時に前記突出部が前記切開部に挿入されることを特徴とするスクリーンドアシステムを提供する。
【００１６】
また、本発明は、押圧保護装置が設置されるスクリーンドアと、前記押圧保護装置と結合されるロック装置が設置され、前記スクリーンドアのガイド敷居を形成するガイドレールとからなるスクリーンドアシステムにおいて、前記押圧保護装置は、前記スクリーンドアが閉鎖される方向に突出する係止手段を備え、前記ロック装置は、前記ガイドレールの長手方向に形成された溝の開口部を覆う水平部を備え、前記スクリーンドアが閉鎖されるとき、前記係止手段は、前記溝及び前記水平部が形成する空間に挿入されることを特徴とするスクリーンドアシステムを提供する。
【００１７】
また、本発明は、押圧保護装置が設置されるスクリーンドアと、前記押圧保護装置と結合されるロック装置が設置され、前記スクリーンドアのガイド敷居を形成するガイドレールとからなるスクリーンドアシステムにおいて、前記押圧保護装置は、前記スクリーンドアの閉鎖方向に突出する係止手段を備え、前記ロック装置は、前記ガイドレールの長手方向に形成された溝の底面に対して垂直方向である上下方向に移動し、前記溝を貫通する締結ボルトが通過する貫通孔が形成される移動軸と、前記移動軸の上端に設置され、前記溝の開口部を覆うカバーとを備え、前記スクリーンドアの閉鎖時に、前記係止手段は、前記カバー及び前記溝が形成する空間に挿入されることを特徴とするスクリーンドアシステムを提供する。
【００１８】
また、本発明は、係止手段が突出した押圧保護装置は、下端部に設置されたスクリーンドアのガイド敷居を形成するガイドレールに設置され、前記スクリーンドアの閉鎖時に前記係止手段が結合されるロック装置において、前記ガイドレールの長手方向に形成された溝を横切る固定用ボルトと、前記溝に挿入され、前記固定用ボルトによって上下に移動可能に前記ガイドレールに設置される両端部の開口した管体と、を備えることを特徴とするロック装置を提供する。
【００１９】
また、本発明は、敷居を形成するガイドレールに沿って移動するスクリーンドアの下端部に設置された押圧保護装置において、前記スクリーンドアの移動方向に対して垂直に設置された軸と、前記軸の貫通する貫通孔が形成され、一部が前記ガイドレールの溝に挿入される板状部材と、を備えることを特徴とするスクリーンドアの押圧保護装置を提供する。
【発明の効果】
【００２０】
このような目的及び構成を有する本発明は、スクリーンドアの移動方向に対して垂直の力が作用する場合に、スクリーンドアがエレベーターの昇降路側に押されることを防止することができ、ガイドレールの溝の内部に異物が蓄積される場合に異物を容易に掃除するかまたは溝の外部に排出させ、ロック装置及び押圧保護装置をスクリーンドアシステムに設置することができる。
【００２１】
また、本発明は、押圧保護装置の係止板をロック装置に容易に挿入して動作の信頼性を向上させ、動作中にノイズを防止することができる。
【図面の簡単な説明】
【００２２】
【図１】従来のエレベーターのドアに設置されたスクリーンドアシステムの斜視図である。
【図２】本発明の第１実施形態に係る押圧保護装置及びロック装置の斜視図である。
【図３】本発明の第１実施形態に係る押圧保護装置及びロック装置の設置状態を示す正面図である。
【図４】本発明の第１実施形態に係る押圧保護装置の正面図である。
【図５】本発明の第２実施形態に係るロック装置の斜視図である。
【図６】図５のロック装置がガイドレールに設置された状態を示す断面図である。
【図７】本発明の第３実施形態に係るロック装置及びこれと結合される第２実施形態の押圧保護装置が設置されたエレベータードアの正面図である。
【図８】本発明の第３実施形態に係る押圧保護装置の断面図である。
【図９】本発明の第４実施形態に係る押圧保護装置及びロック装置が設置された状態を示す断面図である。
【図１０】本発明の第４実施形態に係る押圧保護装置の斜視図である。
【図１１】本発明の第５実施形態に係る押圧保護装置が設置された状態を示す断面図である。
【図１２】本発明の第６実施形態に係る押圧保護装置及びこれと結合される第５実施形態に係るロック装置が設置された状態を示す断面図である。
【図１３】図１２の第６実施形態に係る押圧保護装置の斜視図である。
【図１４】本発明の第７実施形態に係る押圧保護装置及びこれと結合される第６実施形態に係るロック装置の斜視図である。
【図１５】本発明の第７実施形態に係る押圧保護装置及び第６実施形態に係るロック装置が設置された状態を示す断面図である。
【図１６】本発明の第８実施形態に係る押圧保護装置の斜視図である。
【図１７】本発明の第９実施形態に係る押圧保護装置及びこれと結合される第７実施形態に係るロック装置が設置された状態を示す斜視図である。
【図１８】本発明の第９実施形態に係る押圧保護装置及びこれと結合される第７実施形態に係るロック装置の斜視図である。
【図１９】本発明の第８実施形態に係るロック装置の斜視図である。
【図２０】本発明の第８実施形態に係るロック装置がガイドレールに設置された状態を示す断面図である。
【図２１】本発明の第９実施形態に係るロック装置を説明するための切断斜視図である。
【図２２】本発明の第９実施形態に係るロック装置がガイドレールに設置された状態を示す断面図である。
【図２３】本発明の第１０実施形態に係るロック装置が設置されたガイドレールの切断斜視図である。
【図２４】図２３のロック装置の正面斜視図である。
【図２５】図２３のロック装置の背面斜視図である。
【図２６】図２３の設置過程を説明する組立斜視図である。
【図２７】本発明の第１０実施形態に係る押圧保護装置の係止板が挿入されていない状態及びガイドレールの断面図である。
【図２８】本発明の第１０実施形態に係る押圧保護装置の係止板が挿入された状態及びガイドレールを示す断面図である。
【図２９】本発明の第１０実施形態に係る押圧保護装置の斜視図である。
【図３０】図２９のＢ−Ｂ'線による断面図である。
【図３１】第１０実施形態に係る押圧保護装置の正面図である。
【図３２】図２９の押圧保護装置がスクリーンドアに設置された状態を示す断面図である。
【図３３】本発明の第１１実施形態に係る押圧保護装置の斜視図である。
【図３４】図３３のＢ−Ｂ'線による断面図である。
【図３５】本発明の第１１実施形態に係る押圧保護装置の正面図である。
【図３６】本発明の第１２実施形態に係る押圧保護装置の斜視図である。
【図３７】図３６のＢ−Ｂ'線による断面図である。
【図３８】本発明の第１２実施形態に係る押圧保護装置の正面図である。
【図３９】本発明の第１２実施形態に係る押圧保護装置がスクリーンドアに設置された状態を示す断面図である。
【図４０】本発明の第１２実施形態に係る押圧保護装置のフックの斜視図である。
【図４１】本発明の第１３実施形態に係る押圧保護装置が設置されたスクリーンドアシステムの斜視図である。
【図４２】図４１のＡ−Ａ'線による断面図である。
【図４３】図４１のフックの動作状態を説明するための構成図である。
【発明を実施するための形態】
【００２３】
以下、添付図面によって本発明の一実施形態を詳細に説明する。
【００２４】
図２は、本発明の第１実施形態に係る押圧保護装置及び第１実施形態のロック装置の斜視図であり、図３は、本発明の第１実施形態に係る押圧保護装置及び第１実施形態のロック装置の設置状態を示す正面図であり、図４は、本発明の第１実施形態に係る押圧保護装置の正面図である。
【００２５】
スクリーンドア１０は、エレベーターケージ、乗り場または地下鉄駅の乗り場に設置され、一つのスクリーンドアまたは二つのスクリーンドアによって出入口を開閉する。
【００２６】
スクリーンドア１０の垂直下方には開閉方向によって設置された敷居（ｓｉｌｌ）を形成するガイドレール１０１が設置される。ガイドレール１０１には長手方向に沿ってスクリーンドア１０の下側部に設置されたガイドシュー３０が挿入されて移動できるように溝１０２が形成される。
【００２７】
また、ガイドレール１０１の外側面にはロック装置１０３が設置される。このとき、ガイドレール１０１の側面のうち乗り場の出入口から離れた側面を外側面と定義する。ロック装置１０３は、上面と上面の両側から折り曲げられて下方に延びた側面とからなり、下部は開放されて略Ｕ字状を有し、両端部は、押圧保護装置１０５の係止板１０６が挿入されるように開口している。ロック装置１０３は、図２に示すように、ボルト１０４または溶接によってガイドレール１０１の外側面と結合される。
【００２８】
また、スクリーンドア１０の下部には押圧保護装置１０５が設置される。押圧保護装置１０５の上部がスクリーンドア１０の下部と結合され、下部がスクリーンドア１０の下端部より突出して延び、上部から下部が折り曲げられる折り曲げ部によって連結されるブラケット１０７と、ブラケット１０７からスクリーンドア１０が閉鎖される方向に突設した係止板１０６とからなる。係止板１０６は、スクリーンドア１０の出入口の閉鎖時、ロック装置１０３の上面及び両側面が形成する空間に挿入されてロックされた状態を維持して、スクリーンドア１０が移動方向に対して垂直に押されないようにする。
【００２９】
出入口が二つのスクリーンドアによって開閉するとき、スクリーンドアに設置された押圧保護装置１０５が一つのロック装置１０３の両側に挿入されてロックされることから、二つのロック装置を設置する必要がないため、ロック装置１０３はガイドレール１０１の中央に設置されることが施工の簡単さのために好ましい。一つのスクリーンドアによって出入口が開閉されるとき、ロック装置１０３は出入口の閉鎖時にスクリーンドアの押圧保護装置の係止板１０６が挿入され得る位置に設置される。
【００３０】
また、スクリーンドアは多様な場所に設置されることができるが、エレベータードアに設置されるとき、エレベーターの乗り場のスクリーンドア及びエレベーターケージのスクリーンドアの離隔距離は約３０ｍｍに維持されるため、ロック装置１０３はガイドレール１０１の側面から２０ｍｍ以下に突出させる。すなわち、ロック装置１０３の幅が２０ｍｍを超えないようにする。
【００３１】
図３は、二つのスクリーンドア１０、１１によって出入口が開閉されることを例示する。ガイドレール１０１の長手方向の中心の前側にはロック装置１０３が設置され、スクリーンドア１０の下端部にはガイドレール１０１の溝１０２によって移動するガイドシュー３０が設置され、スクリーンドア１１の下端部には溝１０２によって移動するガイドシュー３０'が設置される。また、スクリーンドア１０の下端部には、図４に示す押圧保護装置１０５が設置され、スクリーンドア１１には同じ形状の押圧保護装置１０５'が設置される。押圧保護装置１０５、１０５'は、ガイドシュー３０、３０'よりガイドレール１０１の長手方向の中央側に設置され、スクリーンドア１０、１１の閉鎖時にロック装置１０３にロックされる位置に設置される。
【００３２】
また、押圧保護装置１０５のブラケット１０７の下部には、スクリーンドア１０の閉鎖方向、すなわちガイドレール１０１の長手方向の中央に突出する係止板１０６が形成される。また、係止板１０６の上面は先端側に傾斜して形成されて、ロック装置１０３に挿入されやすく、挿入時にノイズが発生しないようにコーティングされることが好ましい。係止板１０６は、閉鎖時にロック装置１０３の上面及び両側面が形成する空間に挿入され、開放時には挿入された空間から逸脱する。同様に、スクリーンドア１１に設置された押圧保護装置１０５'の係止板もガイドレール１０１の中央側に突設され、スクリーンドア１１の閉鎖時に係止板１０６が挿入される反対側に挿入される。
【００３３】
図５は、本発明の第２実施形態に係るロック装置の斜視図であり、図６は、図５のロック装置がガイドレールに設置された状態を示す断面図である。
【００３４】
図５に示すロック装置１１０は、上板１１１と、上板１１１の一側面から下方に折り曲げられた垂直板１１２と、上板１１１の底面からガイドレール１０１の溝１０２に挿入されるように下側に形成された溝挿入部１１３とからなり、ロック装置１１０はボルト１１４、１１５によって締結される。
【００３５】
図２に示すように、二つのスクリーンドア１０、１１によって乗り場の出入口が開閉される場合に、ガイドレール１０１の長手方向の中央にロック装置１１０が設置される。ロック装置１１０の溝挿入部１１３は溝１０２内に挿入され、端部にネジ山の形成されたボルト１１４、１１５によって締結される。
【００３６】
ロック装置１１０がガイドレール１０１に設置されるとき、垂直板１１２とガイドレール１０１の外側面とが離隔するように設置され、スクリーンドア１０、１１には図４に示す第１実施形態に係る押圧保護装置１０５が設置され、閉鎖時に係止板１０６がロック装置１１０の上板１１１、垂直板１１２及びガイドレール１０１の外側面が形成する空間に挿入されてロックされる。
【００３７】
図２から図６に示す以外の多様なロック装置が、ガイドレール１０１の外側面に押圧保護装置１０５の係止板１０６が挿入される挿入空間を形成するように構成されることができる。
【００３８】
図７は、本発明の第３実施形態に係るロック装置及びこれと結合される第２実施形態の押圧保護装置が設置されたエレベータードアの正面図である。
【００３９】
図７のロック装置１２０、１２１は、ガイドレール１０１の外側面にガイドレールの長手方向に対して垂直に突出した突出部である。また、ロック装置１２０、１２１は、一部がガイドレール１０１と螺合し、一部がガイドレール１０１の外側に突出するヘッドを有するボルトまたはネジ状に形成されることが好ましい。
【００４０】
スクリーンドア１０の両下端部にはガイドシュー１２２、１２３が設置され、ガイドシュー１２２、１２３が設置された中間地点に押圧保護装置１２４が設置される。押圧保護装置１２４の上部はスクリーンドア１０の下部と螺合され、押圧保護装置１２４の下部には、スクリーンドア１０が閉鎖されるときにロック装置１２０が挿入されるように水平方向に形成された挿入部１２５が形成される。すなわち、挿入部１２５の開口方向はガイドレール１０１の長手方向の中央に向かう。押圧保護装置１２４は、スクリーンドア１０が移動して閉鎖状態になれば、挿入部１２５内にロック装置１２０の突出部が挿入されて結合され、ロック装置１２０と結合された押圧保護装置１２４はスクリーンドア１０の移動方向に対して垂直に押されて挿入部１２５に回転力が作用するが、挿入部１２５がロック装置１２０と結合されているため、結局、スクリーンドア１０は流動しない。スクリーンドア１１にもスクリーンドア１０と同様の構造を有するガイドシュー１２６、１２７及び押圧保護装置１２８が設置され、押圧保護装置１２８の下部にはスクリーンドア１１が閉鎖される方向に開口した挿入部１２９が形成され、スクリーンドア１１の閉鎖時に挿入部１２９内にガイドレール１０１の外側面に突出するロック装置１２１が挿入されて結合される。
【００４１】
図８は、本発明の第３実施形態に係る押圧保護装置の断面図である。
【００４２】
スクリーンドアの敷居を形成するガイドレール１０１には、上方に開口部の形成された溝１０２がガイドレール１０１の長手方向に形成される。溝１０２は、両側壁１３１、１３２及び底面１３３からなる。また、両側壁１３１、１３２の上端部には、外側に垂直に折り曲げられる上面１３４、１３５が形成される。このとき、外側はスクリーンドア１０から離れる方向と定義される。上面１３４の端部から内側に離隔した下側部には、側壁１３１と平行に外壁１３６が下方に形成される。
【００４３】
スクリーンドア１０の下部には、上下部がスクリーンドア１０と結合され、中央がスクリーンドア１０と離隔するように外側に凸の補強支持台１３７が設置され、補強支持台１３７には押され放置装置１３８が設置される。
【００４４】
押圧保護装置１３８は、補強支持台１３７と結合される結合部１３９と、結合部１３９の上端から外側に折り曲げられる連結部１４０と、連結部１４０の外側端部から下方に折り曲げられる支持部１４１とからなる。
【００４５】
結合部１３９の下端部は溝１０２に挿入され、下端部の外周面には合成樹脂材のパケット１４２が所定の厚さに形成され、スクリーンドア１０の移動時にパケット１４２が溝１０２の内部に沿って移動することによって、押圧保護装置１３８はスクリーンドア１０の移動時に通常のガイドシューの役割も行う。
【００４６】
支持部１４１の上部１４１'は連結部１４０の端部から下方に折り曲げられ、上部１４１'から外壁１３６側に折り曲げられた後、下方に下部１４１"が形成される。
【００４７】
また、スクリーンドア１０に垂直方向、すなわち
2010520132.tif 000003
方向の力が作用すれば、押圧保護装置の支持部１４１の下部１４１"には
2010520132.tif 000004
方向の力が作用することによって、下部１４１"が外側壁１３６に密着支持されるため、スクリーンドア１０が垂直方向に押されることを防止することができる。
【００４８】
また、スクリーンドア１０の支持部１４１は合成樹脂材でコーティングされて、ガイドレール１０１との接触時にノイズを防止する。
【００４９】
また、押圧保護装置は、パケット１４２なしに設置されることができ、この際にはスクリーンドア１０の下部に別途のガイドシューが設置される。また、押圧保護装置１３８は、補強支持台１３７にネジ１４３によって結合または溶接される。
【００５０】
また、図８で連結部１４０は水平面として示されているが、曲げ強度を補強するように上方に凸の曲面状に形成されることができる。
【００５１】
図９は、本発明の第４実施形態に係る押圧保護装置及びロック装置が設置された状態を示す断面図であり、図１０は、本発明の第４実施形態に係る押圧保護装置の斜視図である。
【００５２】
図９に示す押圧保護装置１５０は、支持部１５１を除いては第３実施形態に係る押圧保護装置１３８と同一であるため、第３実施形態と同一の部分には同一符号を付して説明を省略する。
【００５３】
第４実施形態に係る押圧保護装置の支持部１５１は連結部１４０の端部から折り曲げられて下方に形成される。また、ガイドレール１０１には、スクリーンドア１０が閉鎖されるとき、支持部１５１が位置する外壁１３６にＵ字状の第４実施形態に係るロック装置１５２が設置される。
【００５４】
押圧保護装置１５０の支持部１５１は、スクリーンドア１０が閉鎖されるときにロック装置１５２の内部に挿入され、スクリーンドア１０に垂直方向の力が作用すれば、支持部１５１がロック装置１５２を形成する壁面と接触して、スクリーンドア１０が垂直方向に押されることを防止する。
【００５５】
また、押圧保護装置１５０の結合部１３９の下端部にパケット１４２が設置されてガイドシューの役割も同時に行うが、パケット１４２が設置されていない状態でスクリーンドア１０に別途のガイドシューを設置して変形適用することができる。
【００５６】
図１１は、本発明の第５実施形態に係る押圧保護装置が設置された状態を示す断面図である。
【００５７】
図１１に示す第５実施形態に係る押圧保護装置１６０は、図９に示す第４実施形態に係る押圧保護装置１５０のとは支持部を除いては同様である。
【００５８】
図１１に示す第５実施形態に係る押圧保護装置１６０の支持部は、連結部１４０の端部から下方に折り曲げられた上部１６１と、上部１６１の下端から内側に折り曲げられてガイドレール１０１の外側壁１３６に向かう折り曲げ部１６２とからなる。
【００５９】
このように形成された押圧保護装置１６０が設置されたスクリーンドア１０に垂直方向の力が作用すれば、折り曲げ部１６２の端部がガイドレール１０１の外側壁１３６または上面１３４の下側と接触して、スクリーンドア１０を移動方向に対して垂直に移動させない。
【００６０】
図１２は、本発明の第６実施形態に係る押圧保護装置及びこれと結合される第５実施形態に係るロック装置が設置された状態を示す断面図であり、図１３は、図１２の第６実施形態に係る押圧保護装置の斜視図である。
【００６１】
図１２に示す押圧保護装置１７０は、第３実施形態に係る押圧保護装置１３８と支持部を除いては同様の構成を有する。押圧保護装置１７０の支持部は、連結部１４０から下方に折り曲げられる上部１７１と、上部１７１に下方に延設されるが、中間部に外側に凸の曲面が形成され、曲面の内部にガイドレール１０１の上面１３４の外側端部が挿入される曲面部１７２と、曲面部１７２から下方に延設されるが、スクリーンドア１０が閉鎖される方向に開口した挿入溝１７３が形成された挿入部１７４とからなる。
【００６２】
また、ガイドレール１０１には、スクリーンドア１０が閉鎖されたとき、押圧保護装置１７０の挿入溝１７３に第５実施形態に係るロック装置であるボルト１７５が設置される。ボルト１７５をガイドレール１０１の外側壁１３６から外側に突出させて、スクリーンドア１０の閉鎖時に押圧保護装置１７０の挿入溝１７３にボルト１７５の突出した部分を挿入させる。
【００６３】
挿入溝１７３の開口方向は、スクリーンドア１０が閉鎖されるときにボルト１７５の突出した部分が挿入溝１７３に挿入され、スクリーンドア１０が開放されるとき、ボルト１７５が挿入溝１７３から離脱するように形成される。したがって、スクリーンドア１０が閉鎖されるとき、ガイドレール１０１のボルト１７５は挿入溝１７３に挿入され、スクリーンドア１０に垂直方向の力が作用すれば、押圧保護装置１７０はスクリーンドア１０が垂直方向及び上下に移動することを防止する。
【００６４】
図１４は、本発明の第７実施形態に係る押圧保護装置及びこれと結合される第６実施形態に係るロック装置の斜視図であり、図１５は、本発明の第７実施形態に係る押圧保護装置及び第６実施形態に係るロック装置が設置された状態を示す断面図である。
【００６５】
第７実施形態に係る押圧保護装置１８０は、第３実施形態に係る押圧保護装置１３８と支持部及び連結部１４０を除いては同様の構成を有する。押圧保護装置１８０の連結部１４０には貫通孔１８１が形成され、連結部１４０から下方に折り曲げられた支持部を備える。支持部は、連結部１４０から下方に折り曲げられ、貫通孔１８２が形成される上部１７１と、上部１７１に下方に延設されるが、中間部に外側に凸の曲面が形成され、曲面の内部にガイドレール１０１の上面１３４の外側端部が挿入される曲面部１７２と、曲面部１７２から下方に折り曲げられて延設されるが、スクリーンドア１０が閉鎖される方向に係止板１８３が形成された挿入部１８４とからなる。このとき、連結部１４０及び上部１７１に貫通孔１８１、１８２が形成されて、異物を押圧保護装置１３８及び溝１０２が形成する空間の内部に蓄積させず、蓄積された異物の除去を容易にする。
【００６６】
また、ガイドレール１０１の外側壁１３６は、上面１８５と、上面１８５の両側から下方に折り曲げられて形成された両側面１８６、１８７とからなり、側面１８７が外側壁１３６と螺合される第６実施形態に係るロック装置１８８が設置される。
【００６７】
このとき、ロック装置１８８は、スクリーンドア１０が閉鎖されるとき、押圧保護装置１８０の係止板１８３がロック装置１８８の上面１８５及び両側面１８６、１８７が形成する空間に挿入されるように設置される。したがって、スクリーンドア１０が閉鎖された状態でスクリーンドア１０に垂直方向の力が作用すれば、ロック装置１８８内で係止板１８３の移動が防止されて、スクリーンドア１０が垂直方向に押されることを防止する。
【００６８】
図１６は、本発明の第８実施形態に係る押圧保護装置の斜視図である。
【００６９】
第８実施形態に係る押圧保護装置１９０は、ネジ１９１、１９２によって補強支持台１９３と結合される板状の結合部１９４と、結合部１９４の両下端部から延設される板状のパケット設置部１９５、１９６と、結合部１９４の中央の下端から延設される押圧保護部１９７と、パケット設置部１９５、１９６の端部に設置されるガイドシューの用途として設置されるパケット１９８、１９９とからなる。また、押圧保護部１９７と、押圧保護部１９７から延びた結合部１９４とには外側に突出する曲面２０１、２０２が形成されて、押圧保護部１９７及び結合部１９４の曲げ強度を補強する。
【００７０】
また、結合部１９４の上端からパケット１９８、１９９の下端までの長さより、結合部１９４から押圧保護部１９７の下端までの長さがさらに長いため、押圧保護装置１９０がスクリーンドア１０に設置されるとき、押圧保護部１９７の下端はパケット１９８、１９９の下端よりガイドレール１０１の溝１０２内にさらに深く挿入される。
【００７１】
このように押圧保護部１９７が溝１０２の内部に深く挿入された状態でスクリーンドア１０に垂直方向の力が作用すれば、押圧保護部１９７が溝１０２の両側壁１３１、１３２に支持されるため、スクリーンドア１０が押されることを防止する。
【００７２】
図１７は、本発明の第９実施形態に係る押圧保護装置及びこれと結合される第７実施形態に係るロック装置が設置された状態を示す斜視図であり、図１８は、本発明の第９実施形態に係る押圧保護装置及びこれと結合される第７実施形態に係るロック装置の斜視図である。
【００７３】
スクリーンドア１０、１１の下部にはガイド敷居（ｇｕｉｄｅ  ｓｉｌｌ）を形成するガイドレール１０１が設置され、ガイドレール１０１には長手方向に二つの溝１０２、１０２'が形成される。スクリーンドア１０、１１の下部に設置されたガイドシュー２１１、２１２、２１３、２１４は、乗り場側に形成された溝１０２'に沿って移動する。
【００７４】
また、スクリーンドア１０、１１の下部の中間部には第９実施形態に係る押圧保護装置２１５、２１６がそれぞれ形成され、スクリーンドア１０、１１が閉鎖されるとき、押圧保護装置２１５、２１６は、エレベーターケージの昇降路側に形成された溝１０２に設置された第７実施形態に係るロック装置２１７、２１８にそれぞれ挿入される。
【００７５】
図１８に示すように、第９実施形態に係る押圧保護装置２１５は、スクリーンドア１０の下部と結合するための固定板２１９と、固定板２１９から突出する水平部及び水平部から折り曲げられた垂直部からなる突出棒２２０と、突出棒２２０の垂直端部に設置される円形フランジ２２１とからなる。また、ロック装置２１７は、溝１０２の底面に設置される設置板２２２と、押圧保護装置２１５の突出棒２２０の垂直部がスクリーンドア１０の閉鎖時に閉鎖される方向に所定の長さに挿入される開口部が形成され、設置板２２２の上部に設置される上板２２３を有し、垂直部１６が開口部を通過することによって円形フランジ２２１が内部に挿入されてロックされるハウジング２２４とからなる。
【００７６】
このように、溝１０２に設置されるロック装置２１７の設置位置は、スクリーンドア１０の閉鎖時にされ防止装置２１５の垂直部をロック装置２１７の開口部に挿入させ、ハウジング２２４内に円形フランジ２２１を位置させる。
【００７７】
図１７及び図１８には、ロック装置２１７、２１８が溝１０２に設置され、ガイドシューが溝１０２'に沿って移動することが示されているが、ロック装置２１７、２１８が乗り場側の溝１０２'に設置されて、押圧保護装置２１５、２１６が挿入されてロックされるように構成しても同様の効果を得ることができる。
【００７８】
図１９は、本発明の第８実施形態に係るロック装置の斜視図であり、図２０は、本発明の第８実施形態に係るロック装置がガイドレールに設置された状態を示す断面図である。
【００７９】
エレベーターケージ及び乗り場の出入口を開閉するためのスクリーンドア１０の下部には、ドア敷居を形成するガイドレール１０１が設置される。また、スクリーンドア１０の下端部にはスクリーンドアの移動方向に突出した係止板１０６を有する第１実施形態に係る押圧保護装置１０５が設置され、押圧保護装置１０５の係止板１０６はスクリーンドア１０の閉鎖時にスクリーンドア１０の移動経路に沿って移動して、ガイドレール１０１に設置されたロック装置２３０及び溝１０２が形成する空間に挿入されて、スクリーンドア１０に垂直方向の力が作用する場合に移動しない。
【００８０】
スクリーンドア１０が二つのドアで構成されて、二つのドアが対向して互いに接近して閉鎖される場合に、ロック装置２３０はガイドレール１０１の中央に設置され、スクリーンドアの一つのドアによって出入口が開閉されるときにはガイドレール１０１の一側に設置される。
【００８１】
ガイドレール１０１には、スクリーンドア１０のガイドシューが挿入されて移動されるように溝１０２が形成されており、ロック装置２３０は、溝１０２の開口部を覆う水平部２３１と、水平部２３１から下方に折り曲げられてガイドレール１０１の外側面と接触する側部２３２とからなる。
【００８２】
また、ロック装置２３０の水平部２３１はガイドレール１０１の上面にネジ２３３、２３４、２３５、２３６によって結合されることによって、設置時に垂直にロック装置２３０をガイドレール１０１に容易にネジで結合させることができる。
【００８３】
また、ガイドレール１０１の溝１０２の底面のうち、水平部２３１と対向する部分には長手方向の貫通孔を形成して、溝２の内部に蓄積される異物を貫通孔を介して外部に排出させる。
【００８４】
図２１は、本発明の第９実施形態に係るロック装置を説明するための切断斜視図であり、図２２は、本発明の第９実施形態に係るロック装置がガイドレールに設置された状態を示す断面図である。
【００８５】
第９実施形態に係るロック装置２４０は、ガイドレール１０１の溝１０２の底面に対して垂直方向である上下方向に移動する移動軸２４１と、溝１の開口部を覆うカバー２４２とからなり、移動軸２４１はカバー２４２の中心に設置され、移動軸２４１には溝１０２の長手方向に対して垂直に通過する締結ボルト２４３が貫通するように形成された長穴２４４が形成される。
【００８６】
長穴２４４は、上下方向の長さが左右方向の長さより長く形成されて、ロック装置２４０は締結ボルト２４３に対して上下方向に移動する。
【００８７】
また、カバー２４２は、溝１０２の幅より狭く形成され、溝内に挿入される挿入部２４５と、挿入部２４５より広く形成され、外側に突出してガイドレール１０１の上面にかけられるフランジ部２４６とからなる。
【００８８】
また、ロック装置２４０と対向する溝１０２の底面に溝１０２の長手方向に貫通孔２４７が形成されて、溝１０２の内部の塵などの異物を外部に排出させる。
【００８９】
二つのスクリーンドア１０、１１に図４に示す第１実施形態に係る押圧保護装置１０５がそれぞれ設置され、スクリーンドアの閉鎖時にスクリーンドア１０、１１にそれぞれ設置された押圧保護装置１０５の係止板１０６は、ロック装置２４０の両端部のカバー２４２及び溝１０２が形成する空間に挿入される。このとき、両側から挿入される係止板の挿入時点が異なる場合には、挿入部２４５が移動軸２４１を中心に回転力を受けるが、カバー２４２のフランジ部２４６は回転力によってカバー２４２が回転することを防止する。また、傾斜した係止板１０６の先端部が最初に挿入された後、傾斜面に沿ってカバーが徐々に上昇するように移動軸２４１が上昇して、係止板１０６の挿入を容易にする。
【００９０】
図２３は本発明の第１０実施形態に係るロック装置が設置されたガイドレールの切断斜視図であり、図２４は図２３のロック装置の正面斜視図であり、図２５は図２３のロック装置の背面斜視図であり、図２６は図２３の設置過程を説明する組立斜視図であり、図２７は本発明の第１０実施形態に係る押圧保護装置の係止板が挿入されていない状態及びガイドレールの断面図であり、図２８は本発明の第１０実施形態に係る押圧保護装置の係止板が挿入された状態及びガイドレールを示す断面図である。
【００９１】
図４に示す第１実施形態に係る押圧保護装置１０５の係止板１０６は、スクリーンドア１０が閉鎖されるとき、ガイドレール１０１の溝１０２に設置された第１０実施形態に係るロック装置２５０に挿入される。
【００９２】
ガイドレール１０１の溝１０２に設置されるロック装置２５０は、固定用ボルト２５１、２５２によって上下に移動可能に締結される管体２５３からなる。
【００９３】
管体２５３は、押圧保護装置１０５の係止板１０６の挿入を容易にするために、上面は下面より長く、下面の端部と上面の端部との間は曲面状に形成される。管体２５３の下面は、係止板１０６が挿入されていないときにはガイドレール１０１の溝１０２の底面と接触し、係止板１０６が挿入されたときには係止板１０６によって管体２５３が上方に移動する。また、管体２５３の上面の中心には管体２５３の長手方向に切開された開口部が形成され、管体２５３の下面には長手方向に大きい直径を有する長穴２５４、２５５が形成され、長穴２５４、２５５を通じて固定用ボルト２５１、２５２が挿入されて溝１０２の底面に締結される。このとき、固定用ボルト２５１、２５２のヘッド部２５６は、管体２５３の下面から上方に突出して離隔するように設置して、係止板１０５が管体２５３の内部に挿入されるとき、図２８に示すように、管体２５３を固定用ボルト２５１、２５２に沿って上下に移動させ、ヘッド部２５６によって移動距離を制限する。
【００９４】
図２９は、本発明の第１０実施形態に係る押圧保護装置の斜視図であり、図３０は、図２９のＢ−Ｂ'線による断面図であり、図３１は、第１０実施形態に係る押圧保護装置の正面図であり、図３２は、図２９の押圧保護装置がスクリーンドアに設置された状態を示す断面図である。
【００９５】
スクリーンドア１０の下側部には第１０実施形態に係る押圧保護装置２６０が設置される。
【００９６】
押圧保護装置２６０は、平行に設置される二つの支持板２６１、２６２と、二つの支持板２６１、２６２の間に挿設されるが、支持板２６１、２６２の長手方向の両端部に隣接するように設置される挿入板２６３、２６４と、挿入板２６３、２６４の間及び支持板２６１、２６２の内側の間に形成される空間に支持板２６１、２６２を横切るように設置される軸２６５と、軸２６５が貫通する一字状の長穴２６６が形成されて、軸２６５を中心に上下に移動しつつ回転する押圧保護板２６７とからなる。このとき、押圧保護板２６７は円板状または楕円板状に形成され、長穴２６６は押圧保護板２６７の中心を通過するように形成される。
【００９７】
押圧保護装置２６０の支持板２６１はスクリーンドア１０の下側部と接触するように螺合または溶接される。このとき、押圧保護装置２６０の設置高さは、図３２に示すように、スクリーンドア１０の閉鎖時に、押圧保護板２６７の長穴２６６の延長線と一致する外周面が溝１０２の底面と接触した状態で、軸２６５を長穴２６６の長手方向の中心より高く設置する。
【００９８】
このような押圧保護装置２６０が設置されるとき、スクリーンドア１０の移動方向に対して垂直の力がスクリーンドア１０に作用すれば、押圧保護板２６７は溝１０２を形成する側壁と接触して、スクリーンドア１０が正常の位置から押されることを防止する。
【００９９】
さらに、スクリーンドア１０の移動中に溝１０２の内部に塵などの異物が蓄積された部分と押圧保護板２６７の外周面とが接触すれば、押圧保護板２６７は軸２６５を中心に上方に移動するかまたは回転する。したがって、スクリーンドア１０は摩擦されずに円滑に移動する。
【０１００】
図３３は、本発明の第１１実施形態に係る押圧保護装置の斜視図であり、図３４は、図３３のＢ−Ｂ'線による断面図であり、図３５は、本発明の第１１実施形態に係る押圧保護装置の正面図である。
【０１０１】
第１１実施形態に係る押圧保護装置２７０は、両端部の下部にガイドシュー設置板２７２、２７３、２７４、２７５が下方に突出し、スクリーンドア１０の下側部と接触して設置される支持板２７１と、支持板２７１より短く、所定間隔離れて平行に設置される支持板２７６と、支持板２７１と支持板２７６との間に互いに離隔するように設置される挿入板２７７、２７８、２７９と、支持板２７１、２７６の間の挿入板が設置されていない空間部に横切って設置される軸２８０、２８１と、軸２８０、２８１が通過するように長穴が形成されて、軸２８０、２８１を中心に上下移動するかまたは回転することができ、一部が支持板２７１、２７６の間に挿入され、一部が支持板２７１、２７６の下端部から下方に突出してガイドレール１０１の溝１０２の内部に挿入される押圧保護板２８２、２８３とからなる。
【０１０２】
また、合成樹脂で製作されるガイドシューのパケット（図示せず）は、パケット設置板２７２、２７３及びパケット設置板２７４、２７５に設置される。
【０１０３】
また、支持板２７１は支持板２７６より長く、支持板２７１の長さの中心は支持板２７６の長さの中心と一致するように設置することが好ましい。
【０１０４】
また、支持板２７１、２７６の間に設置される押圧保護板２８２、２８３は、第１０実施形態に係る押圧保護板２６７と同様の構造を有する。
【０１０５】
このように支持板２７１と支持板２７６との間に、軸２８０、２８１を中心に上下移動するかまたは回転する押圧保護板２８２、２８３を二つ設置することによって、第１０実施形態に比べて押圧保護能力を補強することができ、支持板２７１の両端部の下部に直接ガイドシューを設置することによって組立工数を低減させることができる。
【０１０６】
図３６は、本発明の第１２実施形態に係る押圧保護装置の斜視図であり、図３７は、図３６のＢ−Ｂ'線による断面図であり、図３８は、本発明の第１２実施形態に係る押圧保護装置の正面図であり、図３９は、本発明の第１２実施形態に係る押圧保護装置がスクリーンドアに設置された状態を示す断面図であり、図４０は、本発明の第１２実施形態に係る押圧保護装置のフックの斜視図である。
【０１０７】
第１２実施形態に係る押圧保護装置２９０はスクリーンドア１１の下側部に設置され、スクリーンドア１１が閉鎖されるとき、押圧保護装置２９０のフック３００の挿入溝３０１にガイドレール１０１の溝１０２を通過するボルト２９５が挿入されることによって、スクリーンドア１１が垂直方向に押されることを防止する。
【０１０８】
押圧保護装置２９０は、間隔を有してスクリーンドア１１の下側部に設置される二つの支持板２９１、２９２と離隔するように支持板２９１、２９２の間に挿設される挿入板２９３、２９４と、挿入板２９３、２９４の間及び支持板２９１、２９４の内側が形成する空間を横切って設置されるボルトからなる軸２９５と、軸２９５が貫通する上下方向に形成された長穴３０２を有するフック３００とからなる。フック３００の下部にはスクリーンドア１１の閉鎖方向に開口したＣ字状の挿入溝３０１が形成される。
【０１０９】
また、スクリーンドア１１が閉鎖されるとき、押圧保護装置２９０のフック３００の挿入溝３０１に挿入されるように、ガイドレール１０１の溝１０２にはボルト３０３が設置される。
【０１１０】
このように、スクリーンドア１１の閉鎖時に、押圧保護装置２９０のフック３００の挿入溝３０１内にガイドレール１０１のボルト３０３が挿入されて締結されることによって、スクリーンドア１１が押されることを防止する。また、スクリーンドア１１の開放動作及び閉鎖動作中にはフック３００が長穴３０２を貫通する軸２９５を中心に上下動作及び回転動作が行われる。したがって、溝１０２の内部に異物が蓄積された場合にもフック３００とガイドレール１０１との間には摩擦が発生せず、円滑な開閉動作が行われる。
【０１１１】
図４１は、本発明の第１３実施形態に係る押圧保護装置が設置されたスクリーンドアシステムの斜視図であり、図４２は、図４１のＡ−Ａ'線による断面図であり、図４３は、図４１のフックの動作状態を説明するための構成図である。
【０１１２】
図４１で、乗り場の出入口は二つのスクリーンドア１０、１１の左右移動によって開閉される。スクリーンドア１０、１１の下側部には同一の構造を有する押圧保護装置３１０、３２０がそれぞれ設置されるが、押圧保護装置３１０のフック３１１に形成された挿入溝３１２の開口方向と、押圧保護装置３２０のフック３２１に形成された挿入溝３２２の開口方向とは互いに逆方向である。すなわち、フック３１１、３２１に形成された挿入溝３１２、３２２の開口方向はスクリーンドア１０、１１の閉鎖方向に形成される。
【０１１３】
また、スクリーンドア１０、１１が閉鎖されるとき、押圧保護装置３１０、３２０のフック３１１、３２１が到逹するガイドレール１０１の溝１０２の底面には貫通孔３１３、３２３がそれぞれ形成され、挿入溝３１２、３２２に挿入されることができる係止ボルト３１４、３２４が溝１０２の長手方向に垂直にそれぞれ設置される。
【０１１４】
押圧保護装置３１０はスクリーンドア１０の下側部に設置され、両下端部にガイドシューのパケット３１５、３１６が設置される支持板３１７と、支持板３１７から離隔するように両端が折り曲げられて支持板３１７に設置される外側板３１８と、外側板３１８から支持板３１７に垂直に締結されるボルトからなる軸３１９と、上部に軸３１９が貫通する長穴３３０が形成され、下部にスクリーンドア１０の閉鎖方向に開口部の形成された挿入溝３３２が形成されたフック３１１とからなる。
【０１１５】
また、スクリーンドア１０、１１が閉鎖されるとき、フック３１１、３２２が位置するガイドレール１０１の溝１０２の底面には貫通孔が形成されて、フック３１１、３２２の下端部は貫通孔を介して溝１０２の底面から下方に突出する。
【０１１６】
図４２に示すように、スクリーンドア１０が閉鎖されるために、移動中にはフック３１１の下端部は溝１０２の底面と接触するため、長穴３３０の下端側に隣接した部分に軸３１９が位置するが、閉鎖された状態でフック３１１の下端部は溝１０２の底面に形成された貫通孔３１３を通過して底面の下部に突出し、軸３１９は長穴３３０の上端部に位置する。このように軸３１９が長穴３３０の上下に移動しつつ閉鎖動作が行われ、閉鎖時にフック３１１の下端部が貫通孔３１３を通過して溝１０２の底面から下方に突出するため、スクリーンドア１０の押圧保護能力を倍加させる。
【０１１７】
前記の実施形態では、押圧保護装置がスクリーンドアに設置され、ロック装置がガイドレールに設置されることを例示的に説明したが、第１実施形態、第２実施形態及び第９実施形態に係る押圧保護装置はガイドレールに設置されることができ、このような実施形態に係る押圧保護装置と結合されるロック装置がスクリーンドアに設置されることができる。
【０１１８】
また、前記の実施形態では、乗り場の出入口を開閉するスクリーンドアに押圧保護装置が設置されたことを例示的に説明したが、エレベーターケージのスクリーンドアにも適用することができることは当業者にとっては極めて明らかな事実である。
【０１１９】
このように、前記の例示的な実施形態から多様な変形可能なものが応用されることができるため、本発明の保護範囲は特許請求の範囲によって定められる。
【図１】
2010520132.tif 000005
【図２】
2010520132.tif 000006
【図３】
2010520132.tif 000007
【図４】
2010520132.tif 000008
【図５】
2010520132.tif 000009
【図６】
2010520132.tif 000010
【図７】
2010520132.tif 000011
【図８】
2010520132.tif 000012
【図９】
2010520132.tif 000013
【図１０】
2010520132.tif 000014
【図１１】
2010520132.tif 000015
【図１２】
2010520132.tif 000016
【図１３】
2010520132.tif 000017
【図１４】
2010520132.tif 000018
【図１５】
2010520132.tif 000019
【図１６】
2010520132.tif 000020
【図１７】
2010520132.tif 000021
【図１８】
2010520132.tif 000022
【図１９】
2010520132.tif 000023
【図２０】
2010520132.tif 000024
【図２１】
2010520132.tif 000025
【図２２】
2010520132.tif 000026
【図２３】
2010520132.tif 000027
【図２４】
2010520132.tif 000028
【図２５】
2010520132.tif 000029
【図２６】
2010520132.tif 000030
【図２７】
2010520132.tif 000031
【図２８】
2010520132.tif 000032
【図２９】
2010520132.tif 000033
【図３０】
2010520132.tif 000034
【図３１】
2010520132.tif 000035
【図３２】
2010520132.tif 000036
【図３３】
2010520132.tif 000037
【図３４】
2010520132.tif 000038
【図３５】
2010520132.tif 000039
【図３６】
2010520132.tif 000040
【図３７】
2010520132.tif 000041
【図３８】
2010520132.tif 000042
【図３９】
2010520132.tif 000043
【図４０】
2010520132.tif 000044
【図４１】
2010520132.tif 000045
【図４２】
2010520132.tif 000046
【図４３】
2010520132.tif 000047
【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
押圧保護装置が設置されるスクリーンドアと、前記押圧保護装置と結合されるロック装置が設置される前記スクリーンドアのガイド敷居を形成するガイドレールとからなるスクリーンドアシステムにおいて、
前記押圧保護装置は、前記スクリーンドアの閉鎖方向に突出する係止手段を備え、
前記ロック装置は、上面と前記上面の両側から下方に折り曲げられる側面とを備え、
前記スクリーンドアが閉鎖されるとき、前記係止手段は前記上面及び前記側面によって形成される空間に挿入されることを特徴とするスクリーンドアシステム。
【請求項２】
前記側面のうち一つは前記ガイドレールの外側面と接触して設置されることを特徴とする請求項１に記載のスクリーンドアシステム。
【請求項３】
前記ガイドレールは長手方向の溝を備え、前記ロック装置は前記溝内に設置されることを特徴とする請求項１または２に記載のスクリーンドアシステム。
【請求項４】
押圧保護装置が設置されるスクリーンドアと、前記押圧保護装置と結合されるロック装置が設置され、前記スクリーンドアのガイド敷居を形成するガイドレールとからなるスクリーンドアシステムにおいて、
前記押圧保護装置は、前記スクリーンドアの閉鎖方向に突出する係止手段を備え、
前記ロック装置は、上板と、前記上板の底面から下方に形成されて前記ガイドレールの長手方向に形成された溝に挿入される溝挿入部と、前記上板の端部から下方に折り曲げられ、前記ガイドレールの外側壁の外側に設置される垂直板とを備え、
前記係止手段は、前記スクリーンドアの閉鎖時に、前記上板、前記ガイドレールの外側面及び前記垂直板が形成する空間に挿入されてロックされることを特徴とするスクリーンドアシステム。
【請求項５】
押圧保護装置が設置されるスクリーンドアと、前記押圧保護装置と結合されるロック装置が設置され、前記スクリーンドアのガイド敷居を形成するガイドレールとからなるスクリーンドアシステムにおいて、
前記押圧保護装置は、前記スクリーンドアの閉鎖方向に突出し、先端に前記スクリーンドアの閉鎖方向に開口した挿入溝が形成された係止手段を備え、
前記ロック装置は、前記ガイドレールの長手方向に対して垂直に設置される横断部材を備え、
前記スクリーンドアが閉鎖されるとき、前記挿入溝に前記横断部材が挿入されることを特徴とするスクリーンドアシステム。
【請求項６】
敷居を形成するガイドレールに沿って開閉されるスクリーンドアに設置される押圧保護装置において、
前記スクリーンドアと結合される結合部と、
前記結合部の一端部から折り曲げられて、前記スクリーンドアから離れる方向である外側に延びる連結部と、
前記連結部の端部から下方に延びるように設置されるが、下端部が前記ガイドレールの外側壁と平行に形成される支持部と、を備えることを特徴とする押圧保護装置。
【請求項７】
前記支持部の上端部と下端部との間には、外側に凸状に形成された曲面部が形成されることを特徴とする請求項６に記載の押圧保護装置。
【請求項８】
前記ガイドレールの外側壁には外側に突出する突出部材が設置され、前記支持部には前記スクリーンドアが閉鎖される方向に開口した挿入溝が形成され、前記スクリーンドアが閉鎖されるとき、前記挿入溝に前記突出部材が挿入されることを特徴とする請求項６または７に記載の押圧保護装置。
【請求項９】
押圧保護装置が設置されるスクリーンドアと、前記押圧保護装置と結合されるロック装置が設置され、前記スクリーンドアのガイド敷居を形成するガイドレールとからなるスクリーンドアシステムにおいて、
前記ロック装置は、前記ガイドレールの長手方向に形成された溝内に設置され、上面の一部が前記ガイドレールの長手方向に切開された切開部を有するハウジングを備え、前記押圧保護装置は前記スクリーンドアの下端から下方に突出する突出部を備え、前記スクリーンドアの閉鎖時に前記突出部が前記切開部に挿入されることを特徴とするスクリーンドアシステム。
【請求項１０】
押圧保護装置が設置されるスクリーンドアと、前記押圧保護装置と結合されるロック装置が設置され、前記スクリーンドアのガイド敷居を形成するガイドレールとからなるスクリーンドアシステムにおいて、
前記押圧保護装置は、前記スクリーンドアが閉鎖される方向に突出する係止手段を備え、
前記ロック装置は、前記ガイドレールの長手方向に形成された溝の開口部を覆う水平部を備え、
前記スクリーンドアが閉鎖されるとき、前記係止手段は、前記溝及び前記水平部が形成する空間に挿入されることを特徴とするスクリーンドアシステム。
【請求項１１】
押圧保護装置が設置されるスクリーンドアと、前記押圧保護装置と結合されるロック装置が設置され、前記スクリーンドアのガイド敷居を形成するガイドレールとからなるスクリーンドアシステムにおいて、
前記押圧保護装置は、前記スクリーンドアの閉鎖方向に突出する係止手段を備え、
前記ロック装置は、前記ガイドレールの長手方向に形成された溝の底面に対して垂直方向である上下方向に移動し、前記溝を貫通する締結ボルトが通過する貫通孔が形成される移動軸と、前記移動軸の上端に設置され、前記溝の開口部を覆うカバーとを備え、
前記スクリーンドアの閉鎖時に、前記係止手段は、前記カバー及び前記溝が形成する空間に挿入されることを特徴とするスクリーンドアシステム。
【請求項１２】
前記貫通孔は、長手方向に長い長穴であることを特徴とする請求項１１に記載のスクリーンドアシステム。
【請求項１３】
前記ロック装置が設置される位置の溝の底面には、前記溝の長手方向に貫通孔が形成されることを特徴とする請求項１１または１２に記載のスクリーンドアシステム。
【請求項１４】
係止手段が突出した押圧保護装置は、下端部に設置されたスクリーンドアのガイド敷居を形成するガイドレールに設置され、前記スクリーンドアの閉鎖時に前記係止手段が結合されるロック装置において、
前記ガイドレールの長手方向に形成された溝を横切る固定用ボルトと、
前記溝に挿入され、前記固定用ボルトによって上下に移動可能に前記ガイドレールに設置される両端部の開口した管体と、を備えることを特徴とするロック装置。
【請求項１５】
敷居を形成するガイドレールに沿って移動するスクリーンドアの下端部に設置された押圧保護装置において、
前記スクリーンドアの移動方向に対して垂直に設置された軸と、
前記軸の貫通する貫通孔が形成され、一部が前記ガイドレールの溝に挿入される板状部材と、を備えることを特徴とするスクリーンドアの押圧保護装置。
【請求項１６】
前記板状部材は円形または楕円形であることを特徴とする請求項１５に記載のスクリーンドアの押圧保護装置。
【請求項１７】
前記貫通孔は、一方向に大きい直径を有する長穴であることを特徴とする請求項１５または１６に記載のスクリーンドアの押圧保護装置。
【請求項１８】
前記板状部材の貫通孔の下部には、前記スクリーンドアの閉鎖方向に開口した挿入溝が形成され、前記ガイドレールの溝には、前記スクリーンドアの閉鎖時に前記挿入溝に挿入される横断部材が設置されることを特徴とする請求項１５から１７の何れか１項に記載のスクリーンドアの押圧保護装置。
【請求項１９】
前記スクリーンドアが閉鎖されるとき、前記溝の底面の軸と対向する位置に長手方向の長穴が形成されることを特徴とする請求項１５から請求項１８のうち何れか１項に記載のスクリーンドアの押圧保護装置。
【請求項２０】
前記スクリーンドアの一下端部に設置される第１支持板と、
前記第１支持板と平行な間隔を維持する側部を有する第２支持板と、をさらに備え、
前記軸は前記第１支持板及び前記第２支持板を横切り、前記板状部材は前記第１支持板と前記第２支持板との間に設置されることを特徴とする請求項１５から請求項１８のうち何れか１項に記載のスクリーンドアの押圧保護装置。
【請求項２１】
前記第１支持板または前記第２支持板の下部にはガイドシューのパケット設置部が形成され、前記パケット設置部にはガイドシューのパケットが設置されることを特徴とする請求項２０に記載のスクリーンドアの押圧保護装置。
【国際調査報告】
2010520132.tif 000048
2010520132.tif 000049